(57)【要約】【課題】遊技盤の取付け作業及び交換作業を簡略化することが可能である遊技機を提供することを目的とする。【解決手段】操作部４３０と係止部４４０を備える固定保持部４０と、フック３５とからなる遊技盤固定保持手段と、突出部４５１と連動凹部４５３とを備える抜脱部４５０と受部３７とからなる遊技盤抜脱手段とを設けて遊技機１を構成し、操作部４３０に連動凹部４５３に作用する連動凸部４３４を設け、操作部４３０を係止位置から解除位置とした場合に、突出部４５１が内枠３を押圧し、遊技盤４が内枠３から抜脱されるように構成した。【選択図】図１３
2009285104.tif 000002
【特許請求の範囲】
【請求項１】
本体枠と、前記本体枠の所定位置に着脱自在に装着され、前面に遊技領域を有する遊技盤と、前記遊技盤の一部を露出させた開放状態と前記遊技盤を覆った閉止状態とに移行可能に前記本体枠に取付けられ、前記遊技領域の前面に所定間隔を有して対向する位置に保持される透明板保持枠と、を備えた遊技機において、
前記遊技盤を前記本体枠の所定位置に固定保持するための遊技盤固定保持手段と、前記本体枠に固定保持された前記遊技盤を前記本体枠から取り外す際に前記遊技盤の少なくとも一部を前記本体枠から抜脱するための遊技盤抜脱手段と、を備え、
前記遊技盤固定保持手段は、前記遊技盤に設けられた固定保持部と、前記本体枠に設けられた被固定部とから構成され、前記固定保持部は、前記遊技盤を前記本体枠に固定保持する際に、前記本体枠の前記被固定部に係止するための係止部と、前記係止部を係止状態とする係止位置と前記係止部を係止解除状態とする解除位置に変位させるための操作部とを備え、
前記遊技盤抜脱手段は、前記遊技盤の前記固定保持部に設けられた抜脱部と、前記本体枠に設けられた受部とから構成され、前記抜脱部は、前記受部に当接して前記本体枠を押圧し前記遊技盤を前記本体枠から抜脱するための突出部と、前記操作部の動きに連動して前記突出部を前記遊技盤の抜脱位置と非抜脱位置とに変位させるための抜脱連動部とを備え、
前記操作部には前記抜脱連動部に作用する操作連動部が設けられ、前記抜脱連動部と前記操作連動部は、前記係止部を係止位置から解除位置に変位させるために前記操作部を操作した際、前記突出部が抜脱位置に変位して前記本体枠を押圧し、前記本体枠に固定保持された前記遊技盤の少なくとも一部が前記本体枠から抜脱されるように形成されていることを特徴とする遊技機。
【請求項２】
前記透明板保持枠を前記開放状態から前記閉止状態に移行させる際に、前記操作部が前記係止部の解除位置では、前記透明板保持枠と前記操作部が干渉して前記透明板保持枠を前記閉止状態に移行不可能であるが、前記操作部が前記係止部の係止位置では、前記透明板保持枠を前記閉止状態に移行可能に形成されていることを特徴とする請求項１記載の遊技機。
【請求項３】
前記抜脱部は、前記突出部の前記抜脱位置と前記非抜脱位置が前記遊技盤の前後方向に位置するように形成され、前記突出部が前記遊技盤の前後方向に往復動するように形成されていることを特徴とする請求項１又は２に記載の遊技機。
【請求項４】
前記固定保持部は、前記係止部の係止位置と解除位置が遊技盤の上下方向に位置するように形成され、前記固定保持部には前記係止部の上下方向の動きをガイドするガイド部が設けられ、前記係止部が前記ガイド部の範囲内で上下方向に移動するように形成されていることを特徴とする請求項１〜３のいずれか１に記載の遊技機。
【請求項５】
前記ガイド部の係止解除側端部に操作ロック部が設けられ、前記操作部が前記係止部の解除位置にあるときには、前記操作ロック部により前記操作部を前記解除位置に固定可能に形成されていることを特徴とする請求項４記載の遊技機。
【請求項６】
前記遊技盤抜脱手段は、前記突出部が前記受部に当接して前記本体枠を押圧することによる反作用によって前記遊技盤の少なくとも一部が前記本体枠から抜脱されるように構成したことを特徴とする請求項１〜５のいずれか１に記載の遊技機。
【発明の詳細な説明】
【技術分野】
【０００１】
本発明は、前面に遊技領域を有する遊技盤が本体枠に着脱自在に装着されている遊技機に関する。
【背景技術】
【０００２】
従来、パチンコ遊技機等の遊技機として、遊技盤を本体枠の前面側あるいは後面側から着脱自在に装着する物が知られている。このような構成の遊技機として、例えば前枠前面の左右各側にフック部材を取付け、一方側（例えば左側）のフック部材で遊技盤の左側を挟み込んで装着し、他方側（例えば右側）の上下に取付けられたフック部材で遊技盤右側の上下の位置を押さえ込んで、遊技盤を前枠に装着する構成が公知である（例えば特許文献１参照）。
【０００３】
特許文献１に記載の遊技機では、右側上下に取付けられたフック部材は回動可能に取付けられ、収納されるスプリングにより常に遊技盤の右側端部を押さえる方向に付勢されている。上記した構成の遊技機は、遊技盤を取り外す際には、前枠の右側端部の上下位置に取付けられたフック部材を手で外側に開き、その状態で遊技盤の右側をフック部材から引き離して、手前側に移動させ、次いで、前枠の左側端部のフック部材から遊技盤を引き外す。
【０００４】
【特許文献１】特開平６−４７１５７号公報
【発明の開示】
【発明が解決しようとする課題】
【０００５】
しかしながら上記特許文献１に記載された構成の遊技機は、前枠から遊技盤を取り外す場合、フック部材による押さえを解除しても遊技盤は前枠にはまり込んだままとなり、遊技盤を取外しにくい構成になっていた。
【０００６】
本発明は、上記従来技術の欠点を解決しようとするものであり、遊技盤の取付け作業及び交換作業を簡略化することが可能である遊技機を提供することを目的とする。
【課題を解決するための手段】
【０００７】
上記課題を解決するために、本発明遊技機は、請求項1に記載のように、  本体枠と、前記本体枠の所定位置に着脱自在に装着され、前面に遊技領域を有する遊技盤と、前記遊技盤の一部を露出させた開放状態と前記遊技盤を覆った閉止状態とに移行可能に前記本体枠に取付けられ、前記遊技領域の前面に所定間隔を有して対向する位置に保持される透明板保持枠と、を備えた遊技機において、
前記遊技盤を前記本体枠の所定位置に固定保持するための遊技盤固定保持手段と、前記本体枠に固定保持された前記遊技盤を前記本体枠から取り外す際に前記遊技盤の少なくとも一部を前記本体枠から抜脱するための遊技盤抜脱手段と、を備え、
前記遊技盤固定保持手段は、前記遊技盤に設けられた固定保持部と、前記本体枠に設けられた被固定部とから構成され、前記固定保持部は、前記遊技盤を前記本体枠に固定保持する際に、前記本体枠の前記被固定部に係止するための係止部と、前記係止部を係止状態とする係止位置と前記係止部を係止解除状態とする解除位置に変位させるための操作部とを備え、
前記遊技盤抜脱手段は、前記遊技盤の前記固定保持部に設けられた抜脱部と、前記本体枠に設けられた受部とから構成され、前記抜脱部は、前記受部に当接して前記本体枠を押圧し前記遊技盤を前記本体枠から抜脱するための突出部と、前記操作部の動きに連動して前記突出部を前記遊技盤の抜脱位置と非抜脱位置とに変位させるための抜脱連動部とを備え、
前記操作部には前記抜脱連動部に作用する操作連動部が設けられ、前記抜脱連動部と前記操作連動部は、前記係止部を係止位置から解除位置に変位させるために前記操作部を操作した際、前記突出部が抜脱位置に変位して前記本体枠を押圧し、前記本体枠に固定保持された前記遊技盤の少なくとも一部が前記本体枠から抜脱されるように形成されていることを要旨とするものである。
【０００８】
また本発明遊技機は、請求項２に記載のように、請求項１に係り、前記透明板保持枠を前記開放状態から前記閉止状態に移行させる際に、前記操作部が前記係止部の解除位置では、前記透明板保持枠と前記操作部が干渉して前記透明板保持枠を前記閉止状態に移行不可能であるが、前記操作部が前記係止部の係止位置では、前記透明板保持枠を前記閉止状態に移行可能に形成されていることを要旨とするものである。
【０００９】
また本発明遊技機は、請求項３に記載のように、請求項１又は２に係り、前記抜脱部は、前記突出部の前記抜脱位置と前記非抜脱位置が前記遊技盤の前後方向に位置するように形成され、前記突出部が前記遊技盤の前後方向に往復動するように形成されていることを要旨とするものである。
【００１０】
また本発明遊技機は、請求項４に記載のように、請求項１〜３のいずれか１に係り、前記固定保持部は、前記係止部の係止位置と解除位置が遊技盤の上下方向に位置するように形成され、前記固定保持部には前記係止部の上下方向の動きをガイドするガイド部が設けられ、前記係止部が前記ガイド部の範囲内で上下方向に移動するように形成されていることを要旨とするものである。
【００１１】
また本発明遊技機は、請求項５に記載のように、請求項４に係り、前記ガイド部の係止解除側端部に操作ロック部が設けられ、前記操作部が前記係止部の解除位置にあるときには、前記操作ロック部により前記操作部を前記解除位置に固定可能に形成されていることを要旨とするものである。
【００１２】
また本発明遊技機は、請求項６に記載のように、請求項１〜５のいずれか１に係り、前記遊技盤抜脱手段は、前記突出部が前記受部に当接して前記本体枠を押圧することによる反作用によって前記遊技盤の少なくとも一部が前記本体枠から抜脱されるように構成したことを要旨とするものである。
【発明の効果】
【００１３】
請求項１の本発明遊技機は、遊技盤固定保持手段と遊技盤抜脱手段とを備え、前記遊技盤固定保持手段は、前記遊技盤を前記本体枠に固定保持する際に、前記本体枠の前記被固定部に係止するための係止部と、前記係止部を係止状態とする係止位置と前記係止部を係止解除状態とする解除位置に変位させるための操作部とを備え、前記遊技盤抜脱手段は、抜脱部が受部に当接して本体枠を押圧し遊技盤を本体枠から抜脱するための突出部と、前記操作部の動きに連動して前記突出部を前記遊技盤の抜脱位置と非抜脱位置とに変位させるための抜脱連動部とを備え、係止部を係止位置から解除位置に変位させるために操作部を操作した際、突出部が抜脱位置に変位して前記本体枠を押圧し、前記本体枠に固定保持された前記遊技盤の少なくとも一部が前記本体枠から抜脱されるように形成されている構成を採用したことにより、操作部を係止位置に移行させることで簡単に遊技盤を本体枠に固定することができる。更に操作部を解除位置に移行させることで、遊技盤を本体枠から抜脱することができる。このように本発明遊技機は、遊技盤の取付け作業及び交換作業を簡略化することが可能である。
【００１４】
請求項２の本発明遊技機は、前記透明板保持枠を前記開放状態から前記閉止状態に移行させる際に、前記操作部が前記係止部の解除位置では、前記透明板保持枠と前記操作部が干渉して前記透明板保持枠を前記閉止状態に移行不可能であるが、前記操作部が前記係止部の係止位置では、前記透明板保持枠を前記閉止状態に移行可能に形成されていることにより、操作部が解除位置にある場合に透明板保持枠と操作部が干渉することで、遊技盤を固定し忘れたまま透明板保持枠を開放状態から閉止状態に移行させてしまうおそれを抑制できる。その結果、遊技盤を本体枠に正しく固定保持することができ、球飛びが不安定になるのを抑制できる。
【００１５】
請求項３の本発明遊技機は、前記抜脱部は、前記突出部の前記抜脱位置と前記非抜脱位置が前記遊技盤の前後方向に位置するように形成され、前記突出部が前記遊技盤の前後方向に往復動するように形成されていることにより、遊技盤の抜脱を操作部の操作に対しスムーズに行なうことができる。
【００１６】
請求項４の本発明遊技機は、前記固定保持部は、前記係止部の係止位置と解除位置が遊技盤の上下方向に位置するように形成され、前記固定保持部には前記係止部の上下方向の動きをガイドするガイド部が設けられ、前記係止部が前記ガイド部の範囲内で上下方向に移動するように形成されていることにより、操作部の操作に応じて係止部と被係止部とを嵌着させることが可能である。
【００１７】
請求項５の本発明遊技機は、前記ガイド部の係止解除側端部に操作ロック部が設けられ、前記操作部が前記係止部の解除位置にあるときには、前記操作ロック部により前記操作部を前記解除位置に固定可能に形成されているため、操作部を係止部の解除位置に固定することができる。そのため、透明板保持枠を開放状態から閉止状態に移行させる際に、操作部が解除位置にあり遊技盤と本体枠が固定されていないにも関わらず、ガラス扉と操作部が干渉しないために遊技盤を固定し忘れたまま透明板保持枠を開放状態から閉止状態に移行させてしまうおそれを抑制できる。
【００１８】
請求項６の本発明遊技機は、前記遊技盤抜脱手段は、前記突出部が前記受部に当接して前記本体枠を押圧することによる反作用によって前記遊技盤の少なくとも一部が前記本体枠から抜脱されるように構成したことにより、遊技盤を本体枠の前方に押し出して、遊技盤を抜脱することができる。
【発明を実施するための最良の形態】
【００１９】
以下、本発明の実施例について図面を用いて詳細に説明する。図１は本発明遊技機の一実施例を示す正面図であり、図２は図１の遊技機のガラス扉及び皿枠を開放した状態を示す外観斜視図であり、図３は図１の遊技機の内枠の外観を示す斜視図である。図１〜図３に示すように、本実施例の遊技機はパチンコ遊技機１（以下、遊技機ということもある）であり、所要の奥行きを有する額縁形状に形成された外枠２の内側に本体枠としての内枠３が設けられている。内枠３は合成樹脂によって一体成形されており、所定の位置に、遊技盤４を取り付けるための開口部３０が設けられている（図３参照）。内枠３の開口部３０には、前面に遊技領域５が設けられている遊技盤４が、内枠３の前面側から着脱自在に装着されている（図２参照）。
【００２０】
なお本発明において、遊技機１の前面（前側）とは遊技機正面（正面側）のことであり、遊技機１の後面（後側）とは遊技機背面（背面側、裏面側）のことである。また遊技機１の左側、右側、上側、下側とは、遊技機を前面から見た場合の左側、右側、上側、下側のことであり、図１において、図中、それぞれ左側、右側、上側、下側のことである。
【００２１】
図２に示すように遊技盤４の前面側には、ガラス扉６（透明板保持枠）が左側を軸として前方に開閉可能に組付けられている。ガラス扉６は、扉を閉じた状態（閉止状態）では、遊技盤４の遊技領域５の前面に所定間隔を有するように、遊技盤４と対向する位置に保持されている。ガラス扉６は、閉止状態で前面側からガラス板７（透明板）を通して遊技領域５が視認可能となるように、ガラス板７が設けられている。またガラス扉６の上部左右にはスピーカー８、８が設けられている。本実施例の遊技機１では、透明板保持枠の透明板としてガラス板７を用いたが、透明板としてプラスチック板を用いてもよい。ガラス板７等の透明板は、遊技領域５を視認可能な程度の透明性を有している。
【００２２】
内枠３の左側縁上下にはガラス扉係合部３１、３２が設けられている。ガラス扉６の左側縁上下には、上記ガラス扉係合部３１、３２がそれぞれ係合する被係合部６１、６２が設けられている。ガラス扉６は、被係合部６１、６２に内枠３のガラス扉係合部３１、３２が係合し、内枠３に対して脱着可能に軸着している。ガラス扉６は、内枠３の左側縁を回動軸として回動し、内枠３に対し前方に開閉可能であり、ガラス扉６を開いて遊技盤４の一部を露出させた開放状態（図２参照）と、ガラス扉６を閉じて遊技盤４を覆った閉止状態（図１参照）とに移行可能に取付けられている。尚、ガラス扉６の開放状態では、遊技盤４の一部が露出した状態、或いは遊技盤４の全部が露出した状態の何れでも良い。
【００２３】
内枠３の前面側のガラス扉６の下側には皿枠１０が取付けられている。皿枠１０は、内枠３に対して左側縁が軸着されて開閉可能に装着されている。皿枠１０の左側縁上下には、皿枠被係合部１０ａ、１０ｂが設けられ（図２参照）、内枠３の左側縁の皿枠被係合部１０ａ、１０ｂが係合する位置に皿枠係合部３３、３４が設けられている（図３参照）。皿枠１０は左側縁上下の皿枠被係合部１０ａ、１０ｂが、内枠３の皿枠係合部３３、３４に係合し、内枠３の左側縁を回動軸として回動し、内枠３に対し前方に開閉可能に形成されている。皿枠１０は、ガラス扉６とはそれぞれ別々に開閉可能に内枠３に装着されている。
【００２４】
図１に示すように皿枠１０の前面側には、上皿１１、下皿１２、球貸しスイッチ１３、精算スイッチ１４、下皿球抜きボタン１５、遊技スイッチ１６等が設けられている。図１に示すように、遊技機１の内枠３の前面の皿枠１０の右横には、遊技球を発射操作するためのタッチスイッチを備える操作ハンドル１７、ガラス扉６を開閉するための鍵穴１８等が設けられている。また図３に示すように、内枠３の開口部３０の右下には、遊技盤４の固定保持部４０が係止される被係止部としてのフック３５が設けられている。
【００２５】
このフック３５は、内枠3の側面内側の開口部３０側に突設された平板部材３６に設けられている。フック３５は、平板部材３６から遊技盤前方に突出し先端が上方に折れ曲がった鈎状の部材として形成されている。更に内枠の平板部材３６の上記フック３５の上方は、後述する遊技盤４の固定保持部４０の抜脱部４５０の突出部４５１が当接して押圧される受部３７として形成されている。受部３７は遊技盤４の盤面と平行な平坦面として形成されている。また、内枠３の開口部３０の右上部分には、遊技機４の右上を固定するための回転式レバー３８（回動固定部材）が設けられている。
【００２６】
図４は図１の遊技機の遊技盤を示す外観斜視図である。図４に示すように、遊技盤４は、ベニヤ合板等からなる遊技盤本体４１の前面側、略中央に配置された遊技領域５の周囲に前面部材４２が設けられている。遊技盤４の前面には、発射装置から発射された遊技球をガイドするためのガイドレール４３が、略円形に設けられている。図３に示すように遊技領域５には、遊技球を遊技盤４後側外部に排出するためのアウト口５１が遊技領域５の下端に設けられている。
【００２７】
図１に示すように、遊技盤４の遊技領域５には、特別図柄表示装置５２等の表示装置、始動入賞装置５３、特別入賞装置５４等の各種入賞装置が設けられている。また遊技領域には、特に図示しないが、複数の釘等が起立している。尚、図１６、図１７では、遊技領域５の表示装置、入賞装置、釘等の記載を省略した。また遊技盤４の後側には、上記表示装置や入賞装置等の制御基板等が装着されている。また遊技機１は、操作ハンドル１７の操作により、発射装置（図示しない）から遊技領域５に発射された遊技球が、遊技盤４表面を転動しながら落下し、各入賞装置に入ると、所定の賞球遊技球が球払出口から払い出されるようになっている。
【００２８】
遊技機１は、遊技盤４を本体枠（内枠３）の所定位置に固定保持するために、図４に示すように遊技盤４の右下部分に設けられた固定保持部４０と、図３に示すように内枠３の前記固定保持部４０に対応する位置に設けられた被固定部（フック３５）とから構成される遊技盤固定保持手段を備えている。
【００２９】
図４に示すように遊技盤４の左側端には、内枠３の収納凸部３９ａ、３９ｂ（図２参照）に対応する位置に、該収納凸部３９ａ、３９ｂに嵌る収納凹部４９ａ、４９ｂが設けられている。遊技盤１の右上端には、内枠３に設けた回動固定部材としての回転式レバー３８を用いて遊技盤４を固定するための回動部材固定部４８が設けられている。回動部材固定部４８は、回転式レバー３８のレバー部３８ａが回動して遊技盤４の右上部分を前面側から保持することができるように形成されている。図１７（ａ）にレバー部３８ａが回動部材固定部４８を保持した状態を示し、図１６（ａ）にレバー部が回動部材固定部４８の保持を解除した状態を示す。
【００３０】
図５は遊技盤の固定保持部を拡大した状態を示し、遊技機前側から見た斜視図であり、図６は図５の固定保持部を後側から見た斜視図である。図７（ａ）は固定保持部材の外観を示す斜視図であり、操作部が解除位置に有る状態を、フックと共に示した図であり、同図（ｂ）は同図（ａ）の固定保持部材のケース体の一部を取除いた状態を示す斜視図である。遊技機１は、内枠３に固定保持された遊技盤４を内枠３から取り外す際に、遊技盤４の少なくとも一部を内枠３から抜脱するために、遊技盤４の固定保持部４０に設けられた抜脱部４５０（図６参照）と、内枠３の前記抜脱部４５０に対応する位置に設けられた受部３７（図３参照）とから構成される遊技盤抜脱手段を備えている。
【００３１】
図１に示す遊技機１は、内枠３に対して遊技盤４を前面側から取付ける構造になっている。遊技盤４を内枠３に取付ける際には、内枠３の収納凸部３９ａ、３９ｂに、遊技盤４の収納凹部４９ａ、４９ｂを枢着し、遊技盤の上下方向への動きを規制する。その後、回転式レバー３８を回転させ、レバー部３８ａが遊技盤４の回動部材固定部４８の位置になるように遊技盤４の右上を固定する。最後に右下の操作部４３０を倒すと、固定保持部４０の係止部４４０が内枠３のフック３５に嵌り込み（図７（ｂ）、図９（ｂ）参照）、遊技盤４の右下側が固定され、遊技盤４全体が内枠３に固定保持される。
【００３２】
固定保持部４０は、前面側にはレバーからなる操作部４３０が設けられている。操作部４３０は、先端が前方に突出して立てられた状態の解除位置（図５参照）と、先端が前方に突出しないように先端を下方に回動させて倒した状態の係止位置（図４参照）とに変位可能に形成されている。そして、操作部４３０が立てられた状態の解除位置では、ガラス扉６と操作部４３０が干渉し、ガラス扉６を閉めることができないが、固定保持部４０の操作部４３０を倒した状態の係止位置では、ガラス扉６と操作部４３０が干渉せずに、ガラス扉６を閉めることができるように形成されている。
【００３３】
遊技盤４の固定保持部４０は、図５〜図７に示すように、遊技盤４の所定の位置に遊技盤４（遊技盤本体４１と前面部材４２）を前後に貫通する貫通孔が設けられた固定保持部材取付部４００に、図７（ａ）に示す固定保持部材４０１が取付けられて構成されている。
【００３４】
図１０（ａ）、（ｂ）はそれぞれ図７（ａ）、（ｂ）を後ろ側から見た斜視図である。図７及び図１０に示すように、固定保持部材４０１は、前面側に設けられているレバー状の操作部４３０と、操作部４３０の操作によって上下動するように形成された係止部４４０と、上側に設けられていて水平前後方向に往復動可能なブロック状の往復動部４５０等の可動部材と、これらの可動部材を支持すると共に固定保持部材４０１を遊技盤３に装着するためのケース体４１０とから構成されている。ケース体４１０は左側面板からなる第１部材４１１と、右側面板、上面板、下面板、前面板からなる第２部材４１２との二つの部材を組み合わせて構成されている。尚、図７（ｂ）は固定保持部材の第２部材４１２を取り除いた状態を示すものである。
【００３５】
図７及び図１０に示すように、ケース体４１０の上面にはケース体を遊技盤４に固定するための取付部４１３が設けられ、ケース体４１０の前面側の下の部分には、下方に突出する当接突部４１４が設けられている。またケース体４１０の左右の側面板には、側面板の表面から外方に突出する上部突片４１５Ｌ、４１５Ｒ、下部突片４１６Ｌ、４１６Ｒが設けられている。遊技盤４の固定保持部材取付部４００は、上記の固定保持部材４０１のケース体４１０の上下左右の側面板で囲まれた部分が嵌合する大きさの開口部として形成されている。更に図６に示すように、前面部材４２の後面側には開口部の周囲の縦方向と横方向にリブ４２ａ、４２ｂが設けられている。固定保持部材４０１は、前面部材４２のリブ４２ａ、４２ｂに上部突片４１５Ｌ、４１５Ｒと下部突片４１６Ｌ、４１６Ｒを当接させ、前面部材４２の後面側から取付部４１３を螺着することで、前面部材４２に固定されている。そして前面部材４２は、遊技盤本体４１の表面に、所定の位置を螺着して取付けられる。なお、遊技盤本体４１の固定保持部材４０１のところは、貫通孔として形成され、その貫通孔の中に固定保持部材４０１が配置されている。
【００３６】
図１０（ａ）、（ｂ）に示すように、固定保持部材４０１は、ケース体４１０の後側が、フック３５を挿通するためのフック用開口部４１７と、抜脱部４５０の押出部を後方に突出させるための押出部用開口部４１８として形成されている。またケース体４１０の左右の側面には、図７（ａ）及び図１０（ａ）に示すように、係止部４４０の上下方向の動きをガイドするための溝からなるガイド部４１９Ｌ、４１９Ｒが設けられている。係止部４４０は係止位置と解除位置が、遊技盤の上下方向に位置するように形成され、ガイド部４１９Ｌ、４１９Ｒは、上方が解除位置となり、下方が係止位置となる。更にケース体４１０の、上記ガイド部４１９Ｌ、４１９Ｒの係止解除側となる上端には、操作ロック部４２０Ｌ、４２０Ｒが設けられている。
【００３７】
図７及び図１０に示すように、ガイド部４１９Ｌ、４１９Ｒは、上下方向に略垂直に伸び、側面板を貫通する長孔として形成されている。一方、固定保持部材４０１の係止部４４０は、左右の側面側の腕部４４３Ｌ、４４３Ｒを繋ぐ係止杆体４４１と、係止杆体４４１の左右側面外方に突出するガイド用突起４４２Ｌ、４４２Ｒと、操作部４３０に支持される支持部４４５とから構成されている。
【００３８】
係止杆体４４１の左右のガイド用突起４４２Ｌ、４４２Ｒは、ガイド部４１９Ｌ、４１９Ｒの中を上下に移動する。また、操作ロック部４２０Ｌ、４２０Ｒは、上記ガイド部４１９Ｌ、４１９Ｒの上端に連なり斜め前上方に伸びる長孔から構成されている。操作ロック部４２０Ｌ、４２０Ｒは、ガイド部４１９Ｌ、４１９Ｒよりも長孔の幅が狭く形成され、突出部４４２Ｌ、４４２Ｒを強く押し込むと、その位置に突出部４４２Ｌ、４４２Ｒが固定されるように形成されている。
【００３９】
また図７（ａ）及び図１０（ａ）に示すように、ケース体４１０の左右側面の上方には、抜脱部４５０の動きをガイドするためのガイド溝４２１Ｌ、４２１Ｒが設けられている。抜脱部４５０は突出部４５１が遊技盤の水平後方向に突出したり、引っ込んだりして、往復動するように形成されており、ガイド溝４２１Ｌ、４２１Ｒは遊技盤の水平前後方向に伸びる長孔として形成されている。抜脱部４５０の左右の側面に設けられている凸条４５２Ｌ、４５２Ｒが、ガイド溝４２１Ｌ、４２１Ｒに沿って移動する。
【００４０】
図１１（ａ）に示すように、ケース体４１０の第１部材４１１の右側面には、上部螺着部４２２と下部螺着部４２３が設けられ、この部分を螺子等を用いて螺着することで、ケース体４１０の第１部材４１１と第２部材４１２を組立固定すると共に、係止部４４０や抜脱部４５０等の可動部材を可動可能に保持して、固定保持部材４０１が組立られている。
【００４１】
図１３（ａ）は固定保持部材の正面図であり、同図（ｂ）は同図（ａ）のＡ−Ａ線縦断面を示す断面図である。図１３（ａ）、（ｂ）に示すように、操作部４３０は、ケース体４１０に回動可能に軸支される軸部４３１と、係止部４４０の支持部４４５を回動可能に軸支するための保持部４３２と、指を掛けて操作部４３０を操作するための指掛け部４３３と、抜脱部４５０を往復動させるための連動凸部４３４とを備えている。
【００４２】
抜脱部４５０は、図７（ｂ）、図１０（ｂ）、図１３（ｂ）等に示すように、全体の形状として内部が一部中空の直方体ブロック状に形成されており、後端に突出部４５１が設けられ、左右の側面に左右外方に突出するガイド用凸条４５２Ｌ、４５２Ｒが設けられ、下面に操作部４３０の連動凸部４３４と噛合う連動凹部４５３が設けられている。抜脱部４５０は、操作部４３０が操作されて軸部４３１が回動すると、軸部４３１の連動凸部４３４と噛合う連動凹部４５３により、遊技機１の前後水平方向に移動するように形成されている。抜脱部４５０が前後水平方向に移動する際、抜脱部４５０の左右の側面に設けられているガイド用凸条４５２Ｌ、４５２Ｒが、ケース体４１０側面上方に遊技機前後方向に形成されているガイド溝４２１Ｌ、４２１Ｒによってガイドされる。
【００４３】
図７（ａ）、（ｂ）、図１０（ａ）、（ｂ）、図１３（ａ）、（ｂ）は、操作部が解除位置にある状態を示し、図８（ａ）、（ｂ）、図１１（ａ）、（ｂ）、図１４（ａ）、（ｂ）は、それぞれ、図７（ａ）、（ｂ）、図１０（ａ）、（ｂ）、図１３（ａ）、（ｂ）の操作部が解除位置と係止位置の間にある場合を示し、図９（ａ）、（ｂ）、図１２（ａ）、（ｂ）、図１５（ａ）、（ｂ）は、それぞれ、図７（ａ）、（ｂ）、図１０（ａ）、（ｂ）、図１３（ａ）、（ｂ）において操作部が係止位置にある場合を示す図である。尚、図１４（ｂ）は同図（ａ）のＢ−Ｂ断面図であり、図１５（ｂ）は同図（ａ）のＣ−Ｃ断面図である。また、図１６は、操作部が解除位置にある状態の内枠と遊技盤を示し、（ａ）は正面図であり、（ｂ）は（ａ）のＤ−Ｄ断面図である。図１７（ａ）、（ｂ）はそれぞれ、図１６（ａ）、（ｂ）の操作部が係止位置にある状態を示す正面図とＥ−Ｅ断面図である。これら図８（ａ）、（ｂ）〜図１７（ａ）、（ｂ）を用いて、固定保持部の作用について説明する。
【００４４】
図７等に示すように操作部の解除位置では、操作部４３０は指掛け部４３３が前方に引き出されて遊技盤４の盤面から前面側に起立した状態になっている。そして操作部４３０の保持部４３２も前面側に引き出された状態にある。保持部４３２に係止された係止部４４０は、ガイド用突起４４２がガイド４１９の最上部に位置している。係止部４４０の先端の係止杆体４４１は、フック３５の凹部３５１から完全に外れた解除位置にあり、固定保持部４０は係止解除状態となっている。この状態は、遊技盤は４が内枠３に固定されていない状態である。
【００４５】
このレバーが直立した状態からレバーを倒して操作部４３０を操作すると、係止部４４０のガイド用突起４４２がケース体４１０のガイド部４１９の溝に沿って動き、係止杆体４４１も下方に動く。反対に操作部４３０を引き起こして立てると、係止杆体４４１は上方に動く。また操作部４３０の解除位置では、係止部４４０のガイド用突起４４２をケース体４１０のガイド部４１９の上端に連設されている操作ロック部４２０に嵌合させることができる。操作部４３０を立てる際に少し強く上方に押し上げるように操作すると、ガイド用突起４２２はガイド部４１９から操作ロック部４２０に押し込まれる。ガイド用突起４２２は、操作ロック部４２０に対して、少しきつく嵌合するように形成されているので、操作ロック部４２０の位置に保持された状態に固定される。操作部４３０及び係止部４４０は、解除位置で固定され、操作部４３０の指掛け部４３３から指を離しても、操作部４３０は下方に回動せず解除位置に固定され、遊技盤４の前方に飛び出した状態を維持できる。
【００４６】
図１６（ｂ）に示すように、操作部４３０が解除位置にあると、ガラス扉６を閉めようとした場合、ガラス扉６と操作部４３０とが干渉して、ガラス扉６を閉めることができない。このとき、操作部４３０は、操作ロック部４２０によって解除位置に固定されているので、操作部４３０から手を離しても操作部４３０が起立して前方に突出している状態が維持され、操作部４３０は遊技盤４側に倒れてしまうことがない。このように遊技盤４の係止解除状態で、操作部４３０を解除位置に固定できる。操作部４３０が解除位置に固定されていて、操作部４３０が立てられた状態を見れば、遊技盤４の固定保持手段が解除状態にあることを容易に認識できる。そのため遊技盤４を内枠３に係止したと間違って認識する虞がなく、遊技盤４を内枠３に固定しない状態でガラス扉６を閉めてしまうことを防止できる。
【００４７】
図９、図１２、図１５、図１７に示すように、固定保持部材４０１の操作部４３０を倒して、解除位置から遊技盤４側の係止位置にして係止状態にすると、遊技盤４を内枠３に固定することができる。すなわち操作部４３０を解除位置から係止位置にすると、操作部４３０は軸部４３１を中心に回動し、保持部４３２が後方に移動する。このとき保持部４３２に係止部４４０の支持部４４５が保持されているので、支持部４４５も後方に移動する。係止杆体４４１は左右端部のガイド用突起４４２がケース体４１０のガイド部４１９に嵌合しているので、係止杆体４４１はガイド部４１９に沿って下方に移動し、係止杆体４４１も下方に移動する。係止杆体４４１が下方に移動して、フック３５の凹部３５１内に嵌り込み、固定保持部材４０１はフック３５に係止された状態となり、固定保持部４０は内枠３に固定される。このように固定保持部材４０１は、操作部４３０を解除位置と係止位置の間で動かすと、係止部４４０がガイド部４１９の溝にガイドされて上下に移動し、係止部４４０が操作部４３０の動きに連動して係止位置と解除位置の間を変位する。
【００４８】
係止部４４０の解除位置では、操作部４３０が前面側に突出した状態にあるので、ガラス扉６と操作部４３０が干渉してガラス扉６を閉じて閉止状態に移行するのが不可能であるが、係止部４４０の係止位置では、操作部４３０は前面側に突出しない状態となるので、ガラス扉６と操作部４３０が干渉せず、ガラス扉６を閉じて閉止状態に移行することが可能となる。よって遊技盤を固定し忘れたままガラス扉6を開放状態から閉止状態に移行させてしまうおそれを抑制できる。その結果、遊技盤を本体枠に固定保持することができ、球飛びが不安定になってしまうのを抑制することができる。
【００４９】
また操作部４３０を起立したり倒したりして操作して、軸部４３１が回動した場合、軸部４３１の連動凸部（操作連動部）４３４に噛合っている抜脱部４５０の連動凹部（抜脱連動部）４５３が、軸部４３１の回動に合わせて連動する。ガイド溝４２１は、遊技盤４の水平前後方向に設けられているので、抜脱部４５０は軸部４３１の回動により、遊技盤の水平前後方向に移動する。抜脱部４５０が前後方向に移動すると、抜脱部４５０の後端に設けられている突出部４５１が、遊技盤４の後方又は前方に移動する。尚、抜脱部４５０はケース体４１０の左右両側面のガイド溝４２１にガイド用突起４４２が嵌合しているので、ガイド溝４２１に沿って動くことができる。そのため、遊技盤４の前後方向に抜脱部４５０をスムーズに移動させることができる。
【００５０】
操作部４３０が係止位置にあり、係止部４４０が係止状態の場合は、図１５（ｂ）等に示すように、抜脱部４５０は最前部に位置し、抜脱部４５０後端の突出部４５１はケース体４１０内に保持されている。この状態から操作部４３０を前方に引張り起立させると、連動凹部４５３と連動凸部４３４により、係止部４４０は後方に移動する。図８、図１１、図１４等に示すように、操作部４３０を少しだけ引張ると、抜脱部４５０は後方に移動して突出部４５１が内枠３の受部３７に当接する。この状態では、抜脱部４５０の突出部４５１は、受部３７に当接しているだけで、受部３７を押圧しない状態であり、遊技盤４は内枠３の所定の位置に固定された状態にある。
【００５１】
次に図７、図１０、図１３、図１６等に示すように、操作部４３０を更に前方に引張り、解除位置まで変位させると、抜脱部４５０が更に後方に移動して後端の突出部４５１が受部３７を押圧して、受部３７を押し出す力が加わる。通常、遊技機１は島等に強固に固定されていて、内枠３も固定された状態にある。抜脱部の突出部４５１が受部３７を押圧すると、受部３７が設けられている内枠３がしっかりと固定されているために、受部３７側は動かないので、反作用により遊技盤４が前方に移動して浮き上がり、遊技盤４は内枠３から抜脱される。
【００５２】
このように固定保持部４０は、操作部４３０を係止位置から解除位置にすると、操作部４３０の動きに連動して抜脱部４５０の突出部４５１が非抜脱位置から水平後方に移動して抜脱位置に変位する。突出部４５１が抜脱位置に変位すると、遊技盤４の少なくとも一部が内枠３から抜脱される。また、操作部４３０を係止位置から解除位置にすると、突出部４５１は非抜脱位置に戻る。突出部４５１の抜脱位置と非抜脱位置の変位は遊技盤の水平前後方向の位置であり、突出部は遊技盤の前後方向に往復動する。
【００５３】
更に操作部４３０が解除位置に有るときにガイド用突起４４２が操作ロック部４２０に保持されるようにして、操作部４３０を解除位置に固定するすることができる。こうすると、操作部４３０から手を離しても、遊技盤４を内枠３から浮かせて抜脱した状態を維持できる。
【００５４】
遊技盤４を内枠３から取り外すには、先ず図１６（ａ）に示すように、内枠３の右上の回転式レバー３８を回動させて、レバー部３８ａが遊技盤４の回動部材固定部４８にかからない位置にする。次いで、操作部４３０の指掛け部４３３を持って前方に回動して起立させる。指掛け部４３３を持ちながら、遊技盤を前方に引張ると、遊技盤４の右側部分を内枠３から取り出すことができる。更に遊技盤４左側の収納凹部４９ａ、４９ｂが、内枠３の収納凸部３９ａ、３９ｂによる係止が外れる位置まで、遊技盤４を左斜前方にスライドさせると、遊技盤４を内枠３から取り外すことができる。
【００５５】
以上のことをふまえて、従来（例えば特許文献１）であれば、前枠から遊技盤を取り外す場合、まず遊技盤の前枠右側の上下位置に取り付けられたフック部材を手で外側へ開き、フック部材と遊技盤を手で持ったまま遊技盤を右側のフック部材から引き離して手前側に移動させ、前枠右側のフック部材を持っていた手を離して遊技盤を持ち直し、次いで、前枠の右側端部のフック部材から遊技盤を引き外さなければならなかったため、手で遊技盤を保持しながら作業を行う必要があり、遊技盤を取外しにくいという問題があった。また、特許文献１記載の遊技機のように、遊技盤を本体枠の前面側から取り付ける構成の遊技機は、遊技盤の取り付け部分が遊技盤の前面側に露出するように配置される。パチンコ機等の遊技機は、遊技者が遊技盤の前面側に形成されている遊技領域に対して遊技を行うものであるから、上記したような遊技盤の取り付け部材は遊技者が視認できる遊技領域よりも外側の位置に設けて、遊技者から直接見えないようにする必要がある。しかしながら遊技盤の取り付け部分は外側から見えないと、遊技盤のガラス扉を閉じた状態では、遊技盤の固定が完了しているのかを確認することが困難である。そのため、遊技盤を本体枠に固定し忘れた状態でガラス扉を閉じてしまい、遊技盤が本体枠に正しく固定保持されていないために球飛びが不安定になってしまう問題があった。しかしながら本発明は遊技盤の取り付け作業及び交換作業を簡略化することが可能である。また、遊技盤を固定し忘れたまま透明保持枠を開放状態から閉止状態に移行させてしまうおそれを抑制することができる。その結果、遊技盤を本体枠に正しく固定保持することができ、球飛びが不安定になるのを抑制できる。
【００５６】
本実施例では遊技盤４の固定保持部４０に設けられた突出部４５１が、本体枠３に設けられた受部３７に当接して前記本体枠を押圧することによる反作用によって遊技盤４が内枠３（本体枠）から抜脱される構成になっているが、本発明はこれに限らず、突出部が本体枠に設けられた受部に当接して本体枠を押圧し、受部が突出部によって押圧された方向に移動することで遊技盤が抜脱される構成にしてもよい。
【００５７】
また、本実施例では遊技盤を本体枠の前面側から取付ける構成になっているが、本発明はこれに限らず遊技盤を本体枠の後面側から取付ける構成にしてもよい。このようにすれば同様に、取付作業及び交換作業を簡略化することができる。この構成は本実施例を参酌すれば実現可能なため、詳細な説明は省略する。
【図面の簡単な説明】
【００５８】
【図１】本発明遊技機の一実施例を示す正面図である。
【図２】図１の遊技機のガラス扉及び皿枠を開放した状態を示す外観斜視図である。
【図３】図１の遊技機の内枠の外観を示す斜視図である。
【図４】図１の遊技機の遊技盤を示す外観斜視図である。
【図５】遊技盤の固定保持部を拡大した状態を示し、遊技機前側から見た斜視図である。
【図６】図５の固定保持部を後側から見た斜視図である。
【図７】（ａ）は固定保持部材の外観を示す斜視図であり、操作部が解除位置に有る状態を、フックと共に示した図であり、（ｂ）は（ａ）の固定保持部材のケース体の一部を取除いた状態を示す斜視図である。
【図８】（ａ）、（ｂ）はそれぞれ図７（ａ）、（ｂ）の操作部が解除位置と係止位置の間にある場合を示す斜視図である。
【図９】（ａ）、（ｂ）は、それぞれ図７（ａ）、（ｂ）の操作部が係止位置にある場合を示す斜視図である。
【図１０】（ａ）、（ｂ）は、それぞれ図７（ａ）、（ｂ）の固定保持部材とフックを後方から見た斜視図である。
【図１１】（ａ）、（ｂ）は、それぞれ図８（ａ）、（ｂ）の固定保持部材とフックを後方から見た斜視図である。
【図１２】（ａ）、（ｂ）は、それぞれ図９（ａ）、（ｂ）の固定保持部材とフックを後方から見た斜視図である。
【図１３】（ａ）は固定保持部材の正面図であり、（ｂ）は（ａ）のＡ−Ａ縦断面を示す断面図であり、操作部が解除位置に有る状態を示す。
【図１４】（ａ）、（ｂ）は、それぞれ図１３（ａ）、（ｂ）の操作部が解除位置と係止位置の間にある場合を示す図であり、（ａ）は固定保持部材の正面図であり、（ｂ）は（ａ）のＢ−Ｂ断面図である。
【図１５】（ａ）、（ｂ）は、それぞれ図１３（ａ）、（ｂ）の操作部が係止位置にある場合を示す図であり、（ａ）は固定保持部材の正面図であり、（ｂ）は（ａ）のＣ−Ｃ断面図である。
【図１６】操作部が解除位置にある解除状態の内枠と遊技盤を示し、（ａ）は正面図であり、（ｂ）は（ａ）のＤ−Ｄ断面図である。
【図１７】操作部が係止位置にある係止状態の内枠と遊技盤を示し、（ａ）は正面図であり、（ｂ）は（ａ）のＥ−Ｅ断面図である。
【符号の説明】
【００５９】
１  パチンコ遊技機
３  内枠（本体枠）
４  遊技盤
５  遊技領域
６  ガラス扉（透明板保持枠）
７  ガラス板（透明板）
３５  フック（被固定部）
３７  受部
４０  固定保持部
４０１  固定保持部材
４１０  ケース体
４１９  ガイド部
４２０  操作ロック部
４２１  ガイド溝
４３０  操作部
４３１  軸部
４３２  保持部
４３３  指掛け部
４３４  連動凸部
４４０  係止部
４４１  係止杆体
４４２  ガイド用突起
４５０  抜脱部
４５２  ガイド用凸条
４５３  連動凹部
【図１】
2009285104.tif 000003
【図２】
2009285104.tif 000004
【図３】
2009285104.tif 000005
【図４】
2009285104.tif 000006
【図５】
2009285104.tif 000007
【図６】
2009285104.tif 000008
【図７】
2009285104.tif 000009
【図８】
2009285104.tif 000010
【図９】
2009285104.tif 000011
【図１０】
2009285104.tif 000012
【図１１】
2009285104.tif 000013
【図１２】
2009285104.tif 000014
【図１３】
2009285104.tif 000015
【図１４】
2009285104.tif 000016
【図１５】
2009285104.tif 000017
【図１６】
2009285104.tif 000018
【図１７】
2009285104.tif 000019